(57)【要約】【課題】  略同一形状に形成された複数の遊技板を積層状に積み重ねて積層することができる遊技盤を備えた遊技機を提供する。【解決手段】  遊技盤１００を備えた遊技機であって、遊技盤１００を構成する遊技板１０１の一側面には凸部１１０が突設され、遊技板の他側面には凹部１３０が形成される。【選択図】        図１７
2004216140.tif 000002
【特許請求の範囲】
【請求項１】
遊技盤を備えた遊技機であって、
前記遊技盤を構成する遊技板の一面には凸部が突設され、前記遊技板の他面には凹部が形成されることを特徴とする遊技機。
【発明の詳細な説明】
【技術分野】
【０００１】
この発明は、球（主としてパチンコ球）を使用して遊技を行う遊技機、例えば、パチンコ球を使用してスロットマシン遊技のような遊技を行う遊技機やパチンコ機のような弾球遊技機とも呼ばれている遊技機に関する。
【背景技術】
【０００２】
この種の遊技機において、遊技板に対し遊技に関する各種の装置や部品（例えば、図柄表示装置、作動装置、数値表示装置、役物装置等）が組み付けられることで遊技盤が構成される。
また、このような遊技板は合成樹脂材料あるいは木質合板等によって略方形に形成される（例えば、特許文献１参照）。
【０００３】
【特許文献１】特開平１１−１５６００６号公報（第２−３頁、図１−図３）
【発明の開示】
【発明が解決しようとする課題】
【０００４】
ところで、この種の遊技板において、同一形状に形成された複数の遊技板を積層状に積み重ねて保管したりあるいは運搬する場合、隣接する遊技板が相互に位置ずれし、上層部に位置する遊技板が不測に落下する、いわゆる荷崩れが生じやすい。
また、遊技板の前面や後面に突出部や部品等が突出して装着されている場合には、その突出部部品等をスペーサ等の保護部材によって保護した状態で積み重ねなければならず、その作業が厄介であるばかりでなく嵩張るという問題点があった。
【０００５】
この発明の目的は、前記問題点に鑑み、略同一形状に形成された複数の遊技板を積層状に積み重ねた場合においても、荷崩れを防止しながらかつ最小限のスペースにおいて容易に積み重ねて積層することができる遊技板を備えた遊技機を提供することである。
【課題を解決するための手段】
【０００６】
前記目的を達成するために、請求項１の発明に係る遊技機は、
「遊技盤を備えた遊技機であって、
前記遊技盤を構成する遊技板の一面には、凸部が突設され、前記遊技板の他面には、前記凸部が嵌合可能な凹部が形成され、
略同一形状をなす複数の遊技板が積層状に積み重ねられたときには、隣接する遊技板のうち、一方の遊技板の一面の凸部が他方の遊技板の他面の凹部に嵌込まれて積層状に積み重ねられる構成にしてあることを特徴とする遊技機。」を要旨とする。
【０００７】
したがって、略同一形状をなす複数の遊技板が積層状に積み重ねられたときには、隣接する遊技板のうち、一方の遊技板の一面の凸部が他方の遊技板の他面の凹部に嵌込まれて積層状に積み重ねられる。このため、遊技板の一面の凸部の突出量に相当する分だけ嵩張るという不具合を防止することができる。
また、凸部と凹部の嵌合作用によって隣接する遊技板が相互に位置ずれすることを防止することができる。
また、例えば、遊技板を合成樹脂材の射出成形等によって一体に形成した場合、その成形と同時に、その遊技板の一面に凸部を他面に凹部を一体成形することができ、実用性に極めて優れる。
【０００８】
請求項２の発明に係る遊技機は、前記請求項１に記載の遊技機であって、
遊技板の一面に複数の凸部が突設され、前記遊技板の他面には、前記複数の凸部にそれぞれ対応する位置においてこれら凸部が嵌合可能な凹部がそれぞれ形成されていることを特徴とする。
したがって、複数の凸部と凹部の嵌合作用によって隣接する遊技板の位置ずれをより一層確実に防止することができ、複数の遊技板を整然として積み重ねて積層することができる。
【０００９】
請求項３の発明に係る遊技機は、前記請求項１又は２に記載の遊技機であって、
一方の遊技板の一面には、他方の遊技板の他面に突出状に組み付けられた部品が挿入される部品収納凹部が形成されていることを特徴とする。
したがって、一方の遊技板の部品収納凹部に、他方の遊技板に突出状に組み付けられた部品が挿入されて収納される。
このため、遊技板に突出状に組み付けられた部品に係わることなく複数の遊技板を積層状に積み重ねることができる。
【００１０】
請求項４の発明に係る遊技機は、前記請求項１〜３のいずれかに記載の遊技機であって、
遊技板の一面には、装備品を位置決めして取り付けるための複数の位置決めピンが突設され、
前記複数の位置決めピンが凸部を兼用する構成にしてあることを特徴とする。
したがって、略同一形状をなす複数の遊技板が積層状に積み重ねられたときには、隣接する遊技板のうち、一方の遊技板の一面の複数の位置決めピンが、他方の遊技板の他面の凹部にそれぞれ嵌込まれて積層状に積み重ねられる。
また、遊技板の一面に装備品を装着するときには、前記複数の位置決めピンによって装備品を位置決めして装着することができる。
前記したように、複数の位置決めピンが凸部を兼用することで、遊技板の一面に積重専用の凸部を形成する必要がなく、構造が簡単化し、遊技板の製作コストの低減を図ることができる。
【発明の効果】
【００１１】
この発明によれば、略同一形状に形成された複数の遊技板を積層状に積み重ねた場合においても、荷崩れを防止しながらかつ最小限のスペースにおいて容易に積み重ねて積層することができ、遊技板の保管や運搬時において効果が大きい。
【発明を実施するための最良の形態】
【００１２】
次に、この発明を実施するための最良の形態について、実施例にしたがって説明する。
【実施例】
【００１３】
図１はこの発明の実施例に係る遊技機の外枠に対し前枠、ガラス扉及び機構盤がそれぞれ開放された状態を示す斜視図である。図２は外枠に対し前枠が開放された状態を示す斜視図である。図３は前枠に対しガラス扉が開放された状態を示す斜視図である。図４は遊技機を斜め前方から示す斜視図である。図５は遊技機の正面図である。図６は遊技機の背面図である。図７は図６のＶＩＩ−ＶＩＩ線に基づく遊技機の縦断面図である。図８は遊技機の上部を拡大して示す縦断面である。図９は前枠及び遊技盤装着枠の上部を示す斜視図である。図１０は遊技盤ユニットを前方から示す斜視図である。図１１は遊技盤ユニットを後方から示す斜視図である。図１２は遊技板を前方から示す斜視図である。図１３は遊技板を後方から示す斜視図である。なお、説明の便宜上、遊技機において遊技者側を前反対側を後という。
【００１４】
［遊技機の概要について］
図１と図２に示すように、遊技機は、外枠１０、遊技機本体としての前枠３０、ガラス扉５１、遊技盤装着枠８０、遊技盤ユニット（単に遊技盤という場合もある）１００、機構盤２００等を備えている。
外枠１０は方形枠状に形成され、その下部前面には、前枠３０の下面を受ける受け板１５が一体状に設けられている。この外枠１０の前側には、その片側に配設された前枠ヒンジ機構２０によって前枠３０が開閉可能に装着されている。
この実施例において、前枠ヒンジ機構２０は、外枠１０に対し前枠３０を、その開閉支点を左右方向に変化させながら開閉動作させるスライドヒンジ機構によって構成されている。
【００１５】
すなわち、図２に示すように、前枠ヒンジ機構２０は、外枠１０の上枠１１の一側寄り上面と受け板１５の上面にそれぞれ固定されかつ左右方向のスライド溝２４を有するヒンジ板２１と、前枠３０の一側の上下部に固定されかつ先端部にスライド溝２４に沿ってスライドされるスライドピン２３を有するヒンジ板２２と、これら両ヒンジ板２１、２２に両端部が回動ピンによってそれぞれ回動可能に連結される支持アーム２５と、を備えて構成されている。
また、前枠３０のヒンジ板２２の先端部は、同前枠３０の一側縁より所定長さだけ外側に張り出されておりその張り出し端部にスライド溝２４に沿ってスライドされるスライドピン２３が突設されている。これによって外枠１０に対し前枠３０が前方に向けて所定量だけ突出されながら開放されるようになっている。
また、図２に示すように、前枠３０の後側面には、その前枠ヒンジ機構２０とは反対側の自由端よりにおいて施錠装置９１が配設されている。そして、外枠１０の前側に前枠３０が閉じられたときには、施錠装置９１のフック９２が外枠１０の自由端側の側枠に取り付けられた閉止具に係脱可能に係合することによって外枠１０の前側に前枠３０が閉じ状態に施錠されるようになっている。
【００１６】
［遊技機本体としての前枠について］
前枠３０は、合成樹脂、軽合金、木質合板等より形成され、その中央部やや下部寄り部分から上端部近傍にわたって遊技盤ユニット１００の遊技板１０１に対応する略四角形の開口窓３１が形成されている（図３及び図７参照）。
また、前枠３０の前面の片側（図３に向かって右側の自由端側寄り）の上部から中央部にかけてスピーカ３４と上下２つのランプ基板３３とがそれぞれ装着され、各ランプ基板３３の前面には、ランプ、ＬＥＤ等の複数の発光体３２がそれぞれ配設されている。
【００１７】
また、図３と図７に示すように、前枠３０の前面には、その開口窓３１の下部から前枠３０の下端部にわたって下部前面板３５が装着されている。下部前面板３５には、その上部に上皿３６が、同上皿３６の一側部にレンズ３８を有する上皿電飾部３７が、同上皿３６の下部に下皿３９がそれぞれ装着されている。
また、上皿３６には、貸し球及び賞球の球（パチンコ球）が払い出されて保留される。そして、上皿３６に保留された球のうち、図３に向かって右側に整列された球（５個〜１５個）が、後述するベッドボタン７５及びクレジットボタン７４の操作に基づいて作動する球送り装置（図示しない）によって遊技機の所定位置に送り出される。また、下皿３９には、上皿３６に貯留された球が満杯になったときに球が払い出されて貯留されるようになっている。
また、下部前面板３５の所定位置、例えば、下皿３９の一側近傍において貸球ボタン４０、返却ボタン４１、精算ボタン等が配設されている。また、下部前面板３５の下部の前枠ヒンジ機構２０側寄りには灰皿４３が装着されている。
【００１８】
図３に示すように、前枠３０の前面の前枠ヒンジ機構２０寄り部分には、その上部から略中央部にわたって板厚が所定量だけ軽減された凹部が形成され、その凹部には、金属板、強化樹脂板等の剛性を有する平板状の補強部材４５が同前枠３０の前面と略同一面をなして取り付けられている。そして、前枠３０の前面の補強部材４５によって補強された部分には、扉ヒンジ機構５０によってガラス扉５１（開閉扉、前面扉等とも呼ばれている）の一側が開閉可能に装着されている。
【００１９】
［ガラス扉について］
図３〜図５に示すように、ガラス扉５１は、剛性体よりなる扉枠本体５２と、その扉枠本体５２の前側に装着された装飾性を有する合成樹脂製の前面装飾板６１とを主体として構成されている。そして、ガラス扉５１の略中央部には、横長楕円形状をなし、かつガラス板、透明樹脂板等の透視可能な透明板５４によって塞がれた主開口窓５３が形成されている。この透明板５４にはその略中央部に透視可能な透視領域５５（後述する機械表示式表示ユニット（機械表示式表示装置）１７０の表示部に対向する領域）が設けられ、その透視領域５５の外周囲には、センタ表示部５６ａを有する装飾領域が設けられている。この実施例において、装飾領域は、透明板５４の後面に貼り付けられた装飾シート５６によって構成されている。この装飾シート５６は、光の透過率が部分的に変化したシート、例えば不透明部分、半透明部分、透明部分を備えている。そして、装飾シート５６には、機種名が図案化された文字、数字、主要図柄、当たり図柄、当たり図柄の組合せ、装飾用背景等の文字、図柄、模様等の半透明部分又は透明部分よりなるセンタ表示部５６ａが設けられている。
また、この実施例において、装飾領域の左右両側部における装飾シート５６の部分には、後述のランプホルダ１１５に設けられたランプ（図示しない）に対応する半透明部分又は透明部分よりなるサイド表示部５６ｂが設けられている（図３〜図５参照）。
また、ガラス扉５１の上部には、略四角形状をなし、後述する電気表示式表示ユニット１４５の表示面を透視可能なガラス板、透明樹脂板等よりなる透明板６０によって塞がれた副開口窓５９が形成されている。
【００２０】
図３〜図５に示すように、ガラス扉５１の前面装飾板６１には、その扉ヒンジ機構５０側においてヒンジ側電飾部６２が設けられている。このヒンジ側電飾部６２の内部には、ランプ基板が配設され、そのランプ基板にはヒンジ側電飾部６２を照明するランプ、ＬＥＤ等の複数の発光体（図示しない）が配設されている。
また、ガラス扉５１の前面装飾板６１には、その自由端寄りにおいて自由端側電飾部６３と、スピーカ３４に対する複数のスピーカ用スリット６５が設けられている。また、自由端側電飾部６３には、前枠３０前面のランプ基板３３上の複数の発光体３２が発する光がそれぞれ出射される複数のレンズ６４が配設されている（図４参照）。
【００２１】
図４と図５に示すように、ガラス扉５１の前面装飾板６１には、その主開口窓５３の下部段差部に位置してベッドボタン７５（賭け数設定ボタン）、クレジットボタン７４（球投入ボタン）がそれぞれ操作可能に配設されている。
また、ガラス扉５１の前面装飾板６１の主開口窓５３の下部段差部の下側前面には、作動レバー７０、第１ストップボタン７１、第２ストップボタン７２、第３ストップボタン７３等がそれぞれ操作可能に配設されている。なお、ガラス扉５１の自由端側後面とこれに対向する前枠３０の自由端側前面との間には、ガラス扉５１を閉じ状態に解錠可能に施錠する施錠装置が配設されている。
【００２２】
［遊技盤装着部としての遊技盤装着枠について］
図１及び図７〜図９に示すように、前枠３０の後面側には、合成樹脂、軽合金、木質合板等より形成された遊技盤装着部としての遊技盤装着枠８０が配設されている。
この遊技盤装着枠８０は、前枠３０の開口窓３１の後側周縁部に沿う上枠部８１、下枠部８２、及び左右の両側枠部８３、８４を備えかつ後述する遊技盤ユニット１００の遊技板１０１が後方から嵌込可能な大きさの四角枠状に形成されている。また、遊技盤装着枠８０は前枠３０と同質材料によって一体成形して部品点数や組付工数を削減することが望ましい。
【００２３】
図７〜図９に示すように、遊技盤装着枠８０の上枠部８１には、次に詳述する遊技盤ユニット１００の電気表示式表示ユニット１４５を、その上枠部８１の後側から嵌込み可能でかつ同電気表示式表示ユニット１４５を位置決めして保持するための表示装置用嵌込部８６が形成されている。
すなわち、図８と図９に示すように、表示装置用嵌込部８６は、上枠部８１の後側において、遊技盤ユニット１００の電気表示式表示ユニット１４５を斜め下方から嵌込み可能でかつその電気表示式表示ユニット１４５の左右両側面に近接して左右方向の位置決めをなす左右の両側規制壁８７と、図８に示すように、所定位置まで嵌込まれた電気表示式表示ユニット１４５の上部後面に接近して遊技盤ユニット１００の後方への倒れを防止する倒れ防止部８８とがそれぞれ形成されている。
【００２４】
また、図７と図９に示すように、遊技盤装着枠８０の左右の両側枠部８３、８４の前側上部近傍には、側部前面当接片８９が形成されている。また、遊技盤装着枠８０の下枠部８２には、下部前面当接片９０が形成されている。そして、遊技盤装着枠８０の枠内には、その側部前面当接片８９と下部前面当接片９０に当接する所定位置まで遊技盤ユニット１００の遊技板１０１が嵌込まれ、これ以上前方に遊技盤ユニット１００が移動することが阻止されるようになっている。
【００２５】
［遊技板を有する遊技盤ユニットについて］
図１０と図１１に示すように、遊技盤装着枠８０の枠内に嵌込まれて装着される遊技盤ユニット（単に遊技盤という場合もある）１００は、その主体部をなす遊技板１０１に対し、ランプホルダ１１５、数値表示ユニット１２０、冷陰極管１５６、機械表示式表示ユニット（機械表示式表示装置）１７０及び電気表示式表示ユニット（電気表示式表示装置）１４５等がそれぞれ一体状に組み付けられてユニット化されている。
また、この実施例において、遊技板１０１は、合成樹脂等よりなり、機械表示式表示ユニット１７０の各図柄表示体（表示部）１７５の前側表示面が突出される開口窓１０２を有して略方形枠状に形成されている（図１２及び図１３参照）。
また、この実施例において、遊技板１０１は、前面板１０１ａ、開口窓１０２の内周縁部に沿って四角環状をなす内側周壁１０１ｂ、前面板１０１ａの外周縁部に沿って四角環状をなす外側周壁１０１ｃ、前面板１０１ａの後面から突出しかつ格子状に交差する複数の縦リブ１０７及び横リブ１０８を一体に備えている。
すなわち、遊技板１０１は、その各枠部を構成している上枠部１０３、下枠部１０４及び左右の両側枠部１０５、１０６は、前記した前面板１０１ａ、内側周壁１０１ｂ、外側周壁１０１ｃ、複数の縦リブ１０７及び横リブ１０８によってそれぞれ一体に連結されて構成されている。これによって遊技板１０１は、軽量化が図られながら所望とする剛性を有しかつ所定の厚さ寸法をもつ方形枠状に形成されている。
【００２６】
図１２に示すように、遊技板１０１の一面（この実施例では遊技板１０１の前面）には、装備品を位置決めして取り付けるための複数の位置決めピン１１０、１１１（この発明の凸部に相当する）がそれぞれ突設されている。
この実施の形成において、遊技板１０１の左右の両側枠部１０５、１０６の前面板１０１ａの高さ方向中央部の上下部分の計４箇所において、装備品としてのランプホルダ１１５に対応するランプホルダ用位置決めピン１１０が突設されている。そして、図１０に示すように、遊技板１０１の左右の両側枠部１０５、１０６の前面板１０１ａの高さ方向中央部には、左右一対のランプホルダ１１５がランプホルダ用位置決めピン１１０によって位置決めされた後、ビス等によって取り付けられる。
これら一対のランプホルダ１１５には、ガラス扉５１の主開口窓５３に設けられた装飾シート５６の側シート部５８をそれぞれ個別に照明する各複数のランプ（図示しない）が点滅可能に配設されている。
【００２７】
また、遊技板１０１の左右の両側枠部１０５、１０６の前面板１０１ａの高さ方向下部寄り部分の２箇所において、装備品としての数値表示ユニット１２０に対応する表示ユニット用位置決めピン１１１がそれぞれ突設されている。そして、遊技板１０１の左右の両側枠部１０５、１０６の前面板１０１ａの高さ方向下部寄り部分に跨って横長の数値表示ユニット１２０が表示ユニット用位置決めピン１１１によって位置決めされた後、ビス等によって取り付けられる（図１０参照）。
この数値表示ユニット１２０は、その本体部分をなすユニットケース１２１に対し、７セグメント表示器よりなるクレジット用表示部１２２、ゲームカウント用表示部１２３及び払出用表示部１２４がそれぞれ組み付けられている。
【００２８】
また、図１３と図１４に示すように、遊技板１０１の他面（この実施例では遊技板１０１の後面）には、ランプホルダ用位置決めピン１１０及び表示ユニット用位置決めピン１１１にのうち、少なくとも１つの位置決めピン、望ましくは２つ以上の位置決めピン１１０（及び／又は１１１）が嵌合可能な位置決め凹部１３０がそれぞれ形成されている。
また、位置決め凹部１３０に対応する位置決めピン１１０（及び／又は１１１）以外の各位置決めピン１１０（及び／又は１１１）の配設位置は、縦リブ１０７と横リブ１０８とが共に存在しない凹部（空間部）に対応する位置に設定されている。
これによって、図１６と図１７に示すように、略同一形状をなす複数の遊技板１０１が積層状に積み重ねられたときには、隣接する遊技板１０１のうち、一方の遊技板１０１の位置決めピン１１０（及び／又は１１１）が他方の遊技板１０１の位置決め凹部１３０に嵌込まれる。また、前記以外の位置決めピン１１０（及び／又は１１１）は縦リブ１０７と横リブ１０８とが共に存在しない凹部（空間部）に挿入されて積層状に積み重ねられるようになっている。
【００２９】
また、この実施例において、図１１〜図１３に示すように、遊技板１０１の後面の所定位置（この実施例では側枠部１０６の上部寄り部分）には、同遊技板１０１に対し後述する機械表示式表示ユニット１７０をそのユニット本体１７１の片側の取付フランジ１７２において仮止めするユニット仮止具（この発明の部品に相当する）１３５が突出状態で取付ねじ１３６を中心として回動可能に取り付けられている。
また、遊技板１０１の前面には、部品としてのユニット仮止具１３５が収納状態で挿入可能な部品収納凹部１１２が凹設されている。
これによって、図１６に示すように、略同一形状をなす複数の遊技板１０１が積層状に積み重ねられたときには、一方の遊技板１０１のユニット仮止具１３５が他方の遊技板１０１の部品収納凹部１１２に挿入されて積層状に積み重ねられるようになっている。
【００３０】
［第２の表示ユニットとして電気表示式表示ユニットについて］
また、図１０と図１２に示すように、遊技板１０１前面の上部、すなわち上枠部１０３には、その左右方向略中央部から自由端側（前枠ヒンジ機構２０や扉ヒンジ機構５０が配置される側と反対側）寄り部分において、電気表示式表示ユニット用装着凹部１４０が凹設されている。この装着凹部１４０の底面はやや斜め下向き状をなしており、その左右両側部の前側には、平断面鉤形状をなす一対の係止片１４１が突設されている。そして、装着凹部１４０には、比較的大型、例えば、遊技板１０１の幅寸法の１／２前後、あるいはそれ以上の幅寸法の第２の表示ユニットとしての電気表示式の表示部１４６を前側に有する電気表示式表示ユニット（電気表示式表示装置）１４５が、その表示部１４６前面の表示面をやや斜め下向き状にして嵌込まれる。さらに、電気表示式表示ユニット１４５は、その左右両側部が一対の係止片１４１に係止された状態で装着保持されるようになっている。
また、電気表示式表示ユニット１４５は、液晶表示器、プラズマ表示器、ＥＬ表示器等の電気表示式の表示部１４６と、その表示部１４６の後面に装着されかつ表示制御基板が収納された表示制御ボックスと、を一体状に備えてユニット化されている。そして、電気表示式表示ユニット１４５は、遊技板１０１の装着凹部１４０に装着された状態において、同電気表示式表示ユニット１４５の略上半部が遊技板１０１の上枠部１０３の上端面から上方に突出して装着されるようになっている。
【００３１】
［照明ランプとしての冷陰極管について］
また、図１０と図１２に示すように、遊技板１０１の上枠部１０３のヒンジ寄り部分には変換器用装着凹部１５０が凹設され、その変換器用装着凹部１５０には、次に述べる照明ランプ（光源）としての冷陰極管１５６に対する電源供給用の変換器（インバータ）１５１がビス等の取付手段によって装着されている。
また、図８と図１０に示すように、遊技板１０１の上枠部１０３には、開口窓１０２の上縁部に沿って照明ランプとしての横方向に長尺の冷陰極管１５６が配設されている。この冷陰極管１５６は、機械表示式表示ユニット１７０の各図柄表示体（表示部）１７５の前側表示面を照明するものであり、ガラス扉５１の主開口窓５３における装飾領域（装飾シート５６の上シート部５７）の背後に位置して装着されている。そして、冷陰極管１５６は、装飾領域（装飾シート５６の上シート部５７）を照明する機能とを兼ね備えている。さらに、冷陰極管１５６の背後には、同冷陰極管１５６が発する光の一部を、機械表示式表示ユニット１７０の各図柄表示体１７５の前側表示面と、ガラス扉５１の主開口窓５３における装飾シート５６の上シート部５７とに向けてそれぞれ反射する反射板１５７が装着されている。
【００３２】
［第１の表示ユニットとして機械表示式表示ユニットについて］
図１０と図１１に示すように、遊技板１０１の略中央部には、第１の表示ユニットとしての機械表示式表示ユニット（機械表示式表示装置）１７０が装着されている。この実施例において、遊技板１０１の後面において、その開口窓１０２に臨んで機械表示式表示ユニット１７０が装着されている。この機械表示式表示ユニット１７０は、その本体部をなすユニット本体１７１と、そのユニット本体１７１に組み込まれた左右及び中間の３つの無端状ベルト（円形リング状の回転リール、回転ドラム等であってもよい）よりなる図柄表示体（表示部）１７５と、ユニット本体１７１の後面にボックス装着板１８０を介して装着される主基板ボックス１８１並びに副基板ボックス１８３を主体として構成されてユニット化されている。
【００３３】
すなわち、ユニット本体１７１は、剛性を有する部材、例えば、鉄板等の金属板が略四角筒状に曲げ加工されて形成され、その前端部両側部には横方向に張り出す取付フランジ１７２が折り曲げ加工等によって形成されている。
ユニット本体１７１に組み込まれた各図柄表示体１７５は、それぞれ別の駆動モータを駆動源として回転制御されるとともに、各図柄表示体１７５の表面全周には数字、図柄、模様等の抽選図柄が表示されている。そして、機械表示式表示ユニット１７０は、図４に示すベッドボタン７５を操作して賭け数を設定した後、クレジットボタン７４を操作して賭け数に応じた球を投入したことを条件として、作動レバー７０を作動することで３つの図柄表示体１７５がそれぞれ回転する。そして、各図柄表示体１７５にそれぞれ対応する第１〜第３ストップボタン７１、７２、７３を押すことで各図柄表示体１７５が停止するようになっている。また、各図柄表示体１７５の前側表示面にそれぞれ個別に表示された各図柄（３つの図柄）の列が所定の当たり図柄列となって停止したときには、所定数の球が上皿３６に払い出されるようになっている。
【００３４】
また、図１１に示すように、ユニット本体１７１の後面にはボックス装着板１８０が配設され、このボックス装着板１８０の後面の下部には、遊技全般の制御を行うための主制御基板１８２が収納された主基板ボックス１８１が配設されている。また、ボックス装着板１８０の後面には、主基板ボックス１８１の上部に隣接して副基板ボックス１８３が装着されている。副基板ボックス１８３には、遊技機の所定位置に配設されたスピーカ等を作動制御したり、あるいはランプ、ＬＥＤ等を点滅制御するためのするための音声制御基板、ランプ制御基板等の副制御基板１８４が収納されている。
【００３５】
［遊技盤の配線構造について］
遊技板１０１の外側面には、その遊技板１０１を含む遊技盤ユニット１００内において各種の回路基板（制御基板等も含む）や電気機器を電気的に接続するための電気的接続線を同遊技板１０１の外郭形状の外側に突出することなくその内側において配線するための配線用凹部が形成されている。
この実施例において、図１０〜図１２に示すように、遊技板１０１の一方の側枠部（前枠ヒンジ機構２０や扉ヒンジ機構５０が配置される側と反対側の自由端側に位置する側枠部）１０６の外側面の上下部には、形態が異なる複数種類、例えば遊技盤用第１、第２接続線１６４、１６８にそれぞれ対応する配線用第１凹部１６０と配線用第２凹部１６６とがそれぞれ切り欠き状に凹設されている。
この実施例において、遊技盤用第１接続線１６４は、複数本の単線（ばら線）の端末部に共通の端末コネクタが接続された電気的接続線が用いられる。
また、遊技盤用第２接続線１６８は、複数の接続線が平帯状をなして一体化されたフラットケーブルとも呼ばれる電気的接続線が用いられている。
【００３６】
図１２に示すように、配線用第１凹部１６０の底部には、その底面から略直角状に突設する根元部と、その根元部の先端から配線用第１凹部１６０に平行して延出された係止部とをそれぞれ一体に有して平面形状で略Ｔ字状（Ｌ字状でもよい）をなす上係止片１６１、中間係止片１６２及び下係止片１６３がそれぞれ形成されている。そして、配線用第１凹部１６０には、その上係止片１６１、中間係止片１６２及び下係止片１６３の各係止部を順次に弾性的に拡開変形させながら複数本の単線よりなる遊技盤用第１接続線１６４が挿入されるようになっている（図１１参照）。
これによって、同遊技盤用第１接続線１６４は蛇行状に屈曲されかつ上係止片１６１、中間係止片１６２及び下係止片１６３の各係止部によって係止（あるいは弾性的に係止）されて保持されるようになっている。
【００３７】
また、図１２に示すように、配線用第２凹部１６６の底部の上下両端部に存在する上下の両側壁部の所定高さ位置には、配線用第２凹部１６６の底部に平行して一対の弾性係止片１６７が対向に突出されている。そして、配線用第２凹部１６６には、フラットケーブルよりなる遊技盤用第２接続線１６８がその幅方向の両側部寄り部分が一対の弾性係止片１６７に係止されて保持されるようになっている。
【００３８】
また、この実施例において、図１１に示すように、遊技盤用第１接続線１６４は、副基板ボックス１８３内に収納された副制御基板１８４と電気表示式表示ユニット１４５内に収納された表示制御基板とを電気的に接続する。すなわち、遊技盤用第１接続線１６４は、その一端の端末コネクタが副制御基板１８４の一側（前枠ヒンジ機構２０や扉ヒンジ機構５０が配置される側と反対側の自由端側）寄りに配置された遊技盤用基板コネクタに接続され、同遊技盤用第１接続線１６４他端の端末コネクタが表示制御基板の基板コネクタに接続される。
また、遊技盤用第２接続線１６８は、後述する主基板ボックス１８１内に収納された主制御基板１８２と数値表示ユニット１２０の回路基板とを電気的に接続する。
すなわち、図１０と図１１に示すように、遊技盤用第２接続線１６８は、その一端の端末コネクタが主制御基板１８２の一側（前枠ヒンジ機構２０や扉ヒンジ機構５０が配置される側と反対側の自由端側）寄りに配置された遊技盤用基板コネクタに接続され、同遊技盤用第２接続線１６８の他端の端末コネクタが数値表示ユニット１２０の回路基板の基板コネクタに接続される。
【００３９】
［遊技盤側とガラス扉側の配線構造について］
図３に示すように、遊技板１０１の前面のヒンジ側（前枠ヒンジ機構２０や扉ヒンジ機構５０が配置される側）寄りの上部には、扉用第１、第２前面コネクタ１７７ａ、１７８ａが隣接状に配設され、下部には扉用第３前面コネクタ１７９ａが配設されている。
そして、ガラス扉５１の上部寄り部分に配設された各種のランプ基板等に対応する扉用第１、第２接続線１７７、１７８の端末コネクタが扉用第１、第２前面コネクタ１７７ａ、１７８ａにそれぞれ接続されるようになっている。
また、ガラス扉５１の下部寄りに配設された第１〜第３ストップボタン７１〜７３や作動レバー７０等に対応する扉用第３接続線１８７の端末コネクタが扉用第３前面コネクタ１７９ａに接続されるようになっている。
【００４０】
また、図６と図１８に示すように、遊技板１０１の後面のヒンジ側（前枠ヒンジ機構２０や扉ヒンジ機構５０が配置される側）寄りの上下部には、扉用第１、第２及び第３前面コネクタ１７７ａ、１７８ａ、１７９ａにそれぞれ電気的に接続されている扉用第１、第２及び第３後面コネクタ１８５ａ、１８６ａ、１８７ａがそれぞれ配設されている。
扉用第１、第２後面コネクタ１８５ａ、１８６ａには、扉用第１、第２接続線１８５、１８６の各一方の端末コネクタが接続されている。そして、扉用第１、第２接続線１８５、１８６の各他方の端末コネクタが副制御基板１８４のヒンジ側（前枠ヒンジ機構２０や扉ヒンジ機構５０が配置される側）寄りに配置された扉用基板コネクタにそれぞれ接続されている。
また、扉用第３後面コネクタ１８７ａには、扉用第３接続線１８７の一方の端末コネクタが接続されている。そして、扉用第３接続線１８７の他方の端末コネクタが主制御基板１８２の他側（前枠ヒンジ機構２０や扉ヒンジ機構５０が配置される側）寄りに配置された扉用基板コネクタにそれぞれ接続されている。
【００４１】
また、この実施例において、遊技板１０１の後面のヒンジ側（前枠ヒンジ機構２０や扉ヒンジ機構５０が配置される側）寄りの上部、すなわち、扉用第１、第２後面コネクタ１８５ａ、１８６ａが配設される近傍には、照明ランプとしての冷陰極管１５６に対応する変換器１５１に対する変換器用後面コネクタ１８８ａが配設されている。この変換器用後面コネクタ１８８ａには、変換器用接続線１８８の各一方の端末コネクタが接続されている。そして、変換器用接続線１８８の他方の端末コネクタが副制御基板１８４のヒンジ側（前枠ヒンジ機構２０や扉ヒンジ機構５０が配置される側）寄りに配置された変換器用基板コネクタに接続されている。
【００４２】
［機構盤について］
図１に示すように、遊技盤装着枠８０の後側には、機構盤２００が、その一側において機構盤ヒンジ機構１９５によって後方に開閉可能に装着され、閉止具によって閉じ状態に閉止保持されている。
機構盤２００は、合成樹脂等よりなり、その略中央部には、遊技盤ユニット１００の後側突出部、例えば、機械表示式表示ユニット１７０の一部あるいは主基板ボックス１８１及び副基板ボックス１８３が後方に突出される開口窓２０１を有して略方形枠状に形成されている（図１及び図２参照）。
図２に示すように、機構盤２００の上枠部後面の上下部には、球タンク２１０とタンクレール２１１とが連通状に装着されている。また、機構盤２００のヒンジ側の側枠部には、球払出装置２２０が装着されている。この球払出装置２２０は、タンクレール２１１に通じる球通路、電動駆動部材としての払出モータによって駆動されかつ球通路の球を払出通路に払い出す球払出部材等がケース体に組み付けられてユニット化されている。
また、機構盤２００の下枠部の後面には、回路基板としての払出制御基板２４１及び電源基板２４２が収納された基板ボックス２３０が開閉並びに着脱可能に装着されている。
【００４３】
［シールド部材について］
図１、図７及び図１１に示すように、第２の表示ユニットとしての電気表示式表示ユニット１４５と機構盤２００の球タンク２１０との間には、機構盤２００側からの静電気、すなわち、主として島設備から供給される多量の球が帯電状態で供給され、これが原因となって発生する電磁波等から電気表示式表示ユニット１４５の表示制御基板を保護するためのシールド部材１４８が装着されている。
この実施例において、遊技板１０１後面の上部、すなわち上枠部１０３の後面でかつ電気表示式表示ユニット用装着凹部１４０の底板部に対応する位置にシールド部材１４８が装着されている。このシールド部材１４８は、鉄板、ステンレス板、銅板等の金属板や導電板よりなり、表示制御基板と略同じ大きさあるいは適宜に大きい四角板状に形成されている。そして、シールド部材１４８は、ビス等によって遊技板１０１の上枠部１０３の後面に取り付けられている。
また、シールド部材１４８は、電気表示式表示ユニット１４５の後側及び周囲を取り囲むようにして箱形状（ケース状）に形成されたものでもよく、また、シールド部材１４８は、電気表示式表示ユニット１４５に一体状に装着されてもよい。
【００４４】
［実施例の作用効果について］
この実施例に係る遊技機は前述したように構成される。
したがって、図１４〜図１７に示すように、略同一形状をなす複数の遊技板１０１を積層状に積み重ねる場合、下層の遊技板１０１の一面（上向き面となる前面）の凸部としての位置決めピン１１０（及び／又は１１１）と、その下層の遊技板１０１の一面に積み重ねられる上層の遊技板１０１の他面の他面の凹部としての位置決め凹部１３０とを合致させながら嵌込まれることで、下層の遊技板１０１の一面に上層の遊技板１０１が位置決めされて積み重ねられる。
この際、下層の遊技板１０１において、前記以外の位置決めピン１１０（及び／又は１１１）は、上層の遊技板１０１の縦リブ１０７と横リブ１０８とが共に存在しない凹部（空間部）に挿入されて積層状に積み重ねられる。
このため、遊技板１０１の一面から突出された位置決めピン１１０、１１１の突出量に相当する分だけ嵩張るという不具合を防止することができる。言い換えると、複数の遊技板１０１をその板厚寸法に相当する寸法で整然として積み重ねて積層することができる。
また、複数の遊技板１０１が積み重ねられた状態において、位置決めピン１１０（及び／又は１１１）と、位置決め凹部１３０との嵌合作用によって隣接する遊技板１０１が相互に位置ずれすることを確実に防止することができる。
【００４５】
また、この実施例において、図１６に示すように、一方の遊技板１０１の一面には、他方の遊技板１０１の他面に突出状に組み付けられた部品としてのユニット仮止具１３５が挿入される部品収納凹部１１２が形成されている。
したがって、一方の遊技板１０１の部品収納凹部１１２に、他方の遊技板１０１に突出状に組み付けられたユニット仮止具１３５が挿入されて収納される。
このため、遊技板１０１に突出状に組み付けられた部品としてのユニット仮止具１３５に係わることなく複数の遊技板１０１を積層状に積み重ねることができる。
前記したように、この実施例では、略同一形状に形成された複数の遊技板１０１を積層状に積み重ねた場合においても、荷崩れを防止しながらかつ最小限のスペースにおいて容易に積み重ねて積層することができ、遊技板１０１の保管や運搬時において効果が大きい。
【００４６】
また、遊技板１０１に対し各種の装備品を装着して遊技盤ユニット（単に遊技盤という場合もある）１００を構成する場合、図１０と図１２に示すように、遊技板１０１の前側においては、その左右の両側枠部１０５、１０６の各位置決めピン１１０によって左右一対のランプホルダ１１５がそれぞれ位置決めされた後、ビス等によって取り付けられる。
また、左右の両側枠部１０５、１０６の高さ方向下部寄り部分の２箇所の位置決めピン１１１によって横長の数値表示ユニット１２０が位置決めされた後、ビス等によって取り付けられる。
【００４７】
また、遊技板１０１の上枠部１０３前側の電気表示式表示ユニット用装着凹部１４０に電気表示式表示ユニット１４５が、その表示部１４６前面の表示面をやや斜め下向き状にして嵌込まれ一対の係止片１４１に係止された状態で装着保持される。
また、遊技板１０１の上枠部１０３前側の変換器用装着凹部１５０には、照明ランプとしての冷陰極管１５６に対する電源供給用の変換器（インバータ）１５１がビス等の取付手段によって装着される。
さらに、遊技板１０１の上枠部１０３前側には、開口窓１０２の上縁部に沿って照明ランプとしての横方向に長尺の冷陰極管１５６が装着される。なお、図３に示すように、変換器１５１と冷陰極管１５６は接続線１９２によって電気的に接続される。
【００４８】
一方、図１１と図１３に示すように、遊技板１０１の後面には、その開口窓１０２に臨んで機械表示式表示ユニット１７０が装着される。すなわち、遊技板１０１の後面に機械表示式表示ユニット１７０を装着する場合、まず、ユニット本体１７１の一方の取付フランジ１７２が、遊技板１０１の後面のユニット仮止具１３５によって仮止めされる。ここで、他方の取付フランジ１７２がビスによって遊技板１０１の側枠部１０５に締め付け固定される。その後、仮止め状態にある一方の取付フランジ１７２がビスによって遊技板１０１の側枠部１０６に締め付け固定されることで、遊技板１０１の後面に機械表示式表示ユニット１７０が容易に装着される。
また、遊技板１０１後面の上部、すなわち上枠部１０３の後面でかつ電気表示式表示ユニット用装着凹部１４０の底板部に対応する位置にはシールド部材１４８がビス等によって装着される。
【００４９】
前記したように、遊技板１０１の前後両側部に各種の装備品、装置等が装着され、その遊技板１０１側において遊技盤用第１、第２接続線１６４、１６８を配線して各種の装備品、装置と主制御基板１８２あるいは副制御基板１８４とを電気的に接続することで遊技盤ユニット１００が構成される。
すなわち、前記したように、遊技板１０１の自由端側の側枠部１０６に形成した配線用第１凹部１６０には、遊技盤用第１接続線１６４が蛇行状に屈曲された状態で上係止片１６１、中間係止片１６２及び下係止片１６３の各係止部によって係止される。また、遊技板１０１の自由端側の側枠部１０６に形成した配線用第２凹部１６６には、フラットケーブルよりなる遊技盤用第２接続線１６８が一対の弾性係止片１６７に係止されて保持される。
【００５０】
また、図６と図１８に示すように、遊技板１０１の後面のヒンジ側寄りの上部の変換器用後面コネクタ１８８ａと、副制御基板１８４の変換器用基板コネクタに対し変換器用接続線１８８の端末コネクタがそれぞれ接続される。
このようにして、遊技盤ユニット１００内で接続可能な遊技盤用第１、第２接続線１６４、１６８と変換器用接続線１８８のうち、主要部、すなわち、遊技盤用第１、第２接続線１６４、１６８を自由端側に配線することで、遊技盤ユニット１００のヒンジ寄り側にガラス扉５１に対する配線スペースを広く確保することができる。
例えば、遊技板１０１の前後両面のヒンジ側寄り部分には、扉用第１〜３前面コネクタ１７７ａ、１７８ａ、１７９ａと、扉用第１〜３後面コネクタ１８５ａ、１８６ａ、１８７ａとをそれぞれ容易に配設することができる（図３、図６及び図１８参照）。
【００５１】
［実施例の遊技盤の装着構造の作用効果について］
前記したように構成される遊技盤ユニット１００は、次に述べる手順によって遊技盤装着枠８０に装着される。すなわち、図７〜図１０に示すように、まず、遊技盤装着枠８０の上枠部８１に形成された表示装置用嵌込部８６の左右の両側規制壁８７に沿って遊技盤ユニット１００の電気表示式表示ユニット１４５を斜め下方から嵌込む。そして、遊技盤ユニット１００をしだいに直立状態にしながら、その遊技板１０１を遊技盤装着枠８０の側部前面当接片８９と下部前面当接片９０に遊技板１０１の前面が当接する所定位置まで嵌込まれる。
前記したように、遊技盤装着枠８０の表示装置用嵌込部８６の左右の両側規制壁８７によって遊技盤ユニット１００の電気表示式表示ユニット１４５を左右方向に位置決め案内しながら遊技盤装着枠８０の所定位置まで遊技盤ユニット１００を容易に嵌込むことができる。
【００５２】
また、遊技盤装着枠８０の所定位置まで遊技盤ユニット１００が嵌込まれた状態において、電気表示式表示ユニット１４５の上部後面が表示装置用嵌込部８６の倒れ防止部８８に接近する。このため、遊技盤ユニット１００が後方への不測に倒れる不具合を防止することができる。その後、遊技盤ユニット１００をその遊技板１０１の周縁部近傍において留め具によって遊技盤装着枠８０に容易に装着することができる。
【００５３】
［実施例の遊技盤の配線構造の作用効果について］
また、この実施例において、遊技板１０１の自由端側の側枠部（この場合ヒンジ側の側枠部１０５でもよい）１０６に、配線用凹部、この実施例では、図１１に示すように、配線用第１凹部１６０と配線用第２凹部１６６とをそれぞれ切り欠き状に形成し、こられ配線用第１、第２凹部１６０、１６６に遊技盤用第１、第２接続線１６４、１６８をそれぞれ挿通して保持することができる。言い換えると、遊技盤用第１、第２接続線１６４、１６８を遊技板１０１の外郭部からはみ出すことがないように保持することができる。このため、遊技盤装着枠８０に遊技盤ユニット１００を嵌込むときに、遊技盤用第１、第２接続線１６４、１６８が妨害物となる不具合を防止することができる。
また、遊技板１０１の配線用第１凹部１６０には、遊技盤用第１接続線１６４を蛇行状に屈曲させた状態で上係止片１６１、中間係止片１６２及び下係止片１６３の各係止部によって確実に係止して保持することができる。
また、遊技板１０１の配線用第２凹部１６６には、フラットケーブルよりなる遊技盤用第２接続線１６８をその幅方向両側部近傍において一対の弾性係止片１６７によって確実に係止して保持することができる。
【００５４】
前記したように、遊技盤装着枠８０に遊技盤ユニット１００が装着された後、遊技盤ユニット１００とガラス扉５１との電気的接続作用が行われる。
すなわち、図３に示すように、遊技板１０１の前面のヒンジ側寄り部分の上部に配設された扉用第１、第２前面コネクタ１７７ａ、１７８ａに対してはガラス扉５１の上部寄り部分に配設された各種のランプ基板等に対応する扉用第１、第２接続線１８５、１８６の端末コネクタが接続される。
また、遊技板１０１の前面のヒンジ側寄り部分の下部に配設されたは扉用第３前面コネクタ１７９ａに対してはガラス扉５１の下部寄りに配設された第１〜第３ストップボタン７１〜７３や作動レバー７０等に対応する扉用第３接続線１７９の端末コネクタが接続される。これによって遊技盤ユニット１００とガラス扉５１との電気的接続をヒンジ寄り部分において容易に行うことができる。
【００５５】
また、この実施例におて、ガラス扉５１のヒンジ機構側においては、ガラス扉５１側のランプ基板や各種ボタン等が遊技板１０１側の主制御基板１８２や副制御基板１８４と、扉用第１、第２接続線１７７、１７８によって電気的に接続される。
また、ヒンジ機構と反対側の自由端側においては、遊技板１０１前側の電気表示式表示ユニット１４５や数値表示ユニット１２０が、遊技板１０１後側の主制御基板１８２や副制御基板１８４と遊技盤用第１、第２接続線１６４、１６８によって電気的に接続される。
このようにして、遊技板１０１とガラス扉５１との扉用第１、第２接続線１７７、１７８と、遊技板１０１の前側と後側との遊技盤用第１、第２接続線１６４、１６８とを遊技板１０１のヒンジ機構側及び自由端側とにそれぞれ区分けして配線することで、扉用第１、第２接続線１７７、１７８と、遊技盤用第１、第２接続線１６４、１６８とが互いに入り交じることなく合理的に配線することができる。このため、配線作業や配線の保守点検が容易となる。
また、ヒンジ機構側において遊技板１０１とガラス扉５１との扉用第１、第２接続線１７７、１７８を配線することで、自由端側において配線する場合と比べ扉用第１、第２接続線１７７、１７８を短くすることができるとともに、ガラス扉５１の開閉時に扉用第１、第２接続線１７７、１７８が過大に引張されて断線する不具合を防止することができる。
【００５６】
［実施例の照明ランプ（光源）としての冷陰極管の作用効果について］
また、この実施例において、遊技板１０１の上枠部１０３前面には、開口窓１０２の上縁部に沿って照明ランプ（光源）としての横方向に長尺の冷陰極管１５６が配設されている。
図８に示すように、冷陰極管１５６は、同冷陰極管１５６が発する光の一部を、機械表示式表示ユニット１７０の各図柄表示体１７５の前側表示面と、ガラス扉５１の主開口窓５３における装飾シート５６の上シート部５７とに向けてそれぞれ反射する反射板１５７を備えている。このため、この冷陰極管１５６によって、機械表示式表示ユニット１７０の各図柄表示体（表示部）１７５の前側表示面をそれぞれ照明することができるとともに、ガラス扉５１の主開口窓５３における装飾領域（装飾シート５６の上シート部５７）を照明することができる。
言い換えると、照明ランプとしての横方向に長尺の冷陰極管１５６は、機械表示式表示ユニット１７０の機械表示式の表示部（ベルト、リール、ドラム等）を照明するとともに、ガラス扉５１の主開口窓５３における装飾領域（装飾シート５６の上シート部５７）を照明する機能を兼ね備えている。
【００５７】
このように、機械表示式表示ユニット１７０の各図柄表示体（表示部）１７５の前側表示面を照明する冷陰極管１５６によって、ガラス扉５１の主開口窓５３における装飾領域（装飾シート５６のセンタ表示部５６ａ）を照明することで、装飾領域専用の照明ランプ（光源）を準備して遊技板１０１の前面の所定位置に装着する手間を省くことができ、コスト低減に効果が大きい。
しかも、装飾領域専用の照明ランプを装着するスペースを確保する必要もないため、その分だけ他の装備品を配設するための設計の自由度を増大させることが可能となる。
また、冷陰極管１５６の背後に設けた反射部材１５７によって冷陰極管１５６が発する光を反射して機械表示式表示ユニット１７０の機械表示式の表示部（ベルト、リール、ドラム等）及びガラス扉５１の装飾領域のセンタ表示部５６ａをそれぞれ良好に照明することができ、照明効果を高めることができる。
特に、遊技板１０１に装着された機械表示式表示ユニット（機械表示式表示装置）１７０の機械表示式の表示部を照明する際、光源としての冷陰極管１５６を遊技板１０１の前部に配置することで、ガラス扉５１側に配置する場合と比べ、不測に位置ずれすることなく適切に照明することができる。
また、ガラス扉５１の透明板５４の後面に装飾シート５６を貼り付けらることによって、文字、図柄、模様等のセンタ表示部５６ａを有する装飾領域を容易に構成することができる。
【００５８】
また、この実施例において、図３と図１０に示すように、遊技板１０１前面の上部おいて、ヒンジ寄り側に照明ランプとしての冷陰極管１５６に対する電源供給用の変換器（インバータ）１５１が装着される。このため、遊技板１０１の前側において、冷陰極管１５６と電源供給用の変換器１５１とを短い接続線によって容易に接続することができる。
さらに、ヒンジ側寄りにおいて、遊技機本体側、前枠３０側の電源供給部としての電源基板と変換器１５１とを接続線によって容易に接続することができる。
また、遊技板１０１前面のヒンジ寄り側に変換器１５１が装着されことで、遊技板１０１前面の自由端寄り部分には比較的大きいスペースを確保することが容易となる。そして、遊技板１０１前面の上部左右方向略中央部から自由端寄り部分にわたる大きいスペースに比較的大型、例えば、遊技板１０１の幅寸法の１／２前後、あるいはそれ以上の幅寸法をもつ大型の表示部１４６を前側に有する電気表示式表示ユニット１４５を装着することができる。
【００５９】
［実施例のシールド部材の作用効果について］
遊技板１０１の上部には、球タンク２１０の前側に略対面状態で第２の表示ユニットとしての電気表示式表示ユニット１４５が設けられ、電気表示式表示ユニット１４５と球タンク２１０との間には、導電性のシールド部材１４８が配設されている。この実施例において、図１、図７及び図１１に示すように、電気表示式表示ユニット１４５と機構盤２００の球タンク２１０との間（例えば、電気表示式表示ユニット用装着凹部１４０の底板部に対応する位置）に、鉄板、ステンレス板、銅板等の金属板や導電板よりなる導電性のシールド部材１４８が装着されている。
このため、機構盤２００側からの静電気や電磁波等による悪影響、例えば、球タンク２１０に供給された球の帯電による悪影響をシールド部材１４８においてシールドすることができる。言い換えると、球タンク２１０内の帯電した球の静電気や電磁波をシールド部材１４８によって遮断（吸収）することができる。この結果、機構盤２００側からの静電気や電磁波等が原因となって電気表示式表示ユニット１４５の表示制御基板が誤動作したり、あるいは液晶表示部等の電気表示式表示部の画面が乱れる等の不具合を防止することができる。
【００６０】
また、遊技板１０１の上部前側に電気表示式表示ユニット１４５を、上部後側にシールド部材１４８を装着することで、電気表示式表示ユニット１４５とシールド部材１４８とが不測に位置ずれすることがない。このため、球タンク２１０内に貯留されてた球の静電気や電磁波等をシールド部材１４８によって確実に遮断して表示ユニットを保護することができる。
また、液晶表示器、プラズマ表示器、ＥＬ表示器等の表示部１４６を有する電気表示式表示ユニット１４５は、静電気や電磁波の影響を受けやすいため、シールド部材１４８による静電気や電磁波等の遮断による効果が大きい。
【００６１】
遊技板１０１の中央部には、第１の表示ユニットとしてのベルト、リール、ドラム等機械表示式の図柄表示体１７５を有する機械表示式表示ユニット１７０が設けられ、遊技板１０１の上部には、前記したように第２の表示ユニットとしての電気表示式表示ユニット１４５が設けられている。
これによって、機械表示式表示ユニット１７０を、大当たりの抽選図柄を変動表示する主表示装置とし、電気表示式表示ユニット１４５遊技演出用の副表示装置として用いることができる。このため、遊技演出をより一層向上させることができる。
さらに、機械表示式表示ユニット１７０と電気表示式表示ユニット１４５との組合せによって斬新な遊技演出を行うことができる。
【００６２】
［他の実施例について］
なお、この発明は実施例に限定するものではない。
例えば、前記実施例においては、パチンコ球を使用してスロットマシン遊技のような遊技を行う遊技機である場合を例示したが、パチンコ機等の弾球遊技機ある場合においても実施可能である。例えば、前記実施例においては、遊技板１０１に対し、図柄表示体１７５（回転ベルト、回転レール、回転ドラム等）を備えた機械表示式表示ユニット１７０が装着されて遊技盤ユニット（単に遊技盤という場合もある）１００が構成されるが、弾球遊技機においては、遊技板に各種の入賞装置、役物装置、誘導釘等が配設されて遊技盤ユニットが構成される。
【００６３】
また、前記実施例は次に述べる他の発明１〜４を含んでいる。
【００６４】
［他の発明１の手段及び作用効果について］
他の発明１の手段１は、
「遊技機本体と、その遊技機本体の遊技盤装着部に着脱可能に装着された遊技盤と、その遊技盤の所定位置に装着された機械表示式表示装置と、前記遊技機本体の前側に開閉可能に装着されたガラス扉と、を備えた遊技機であって、
前記ガラス扉は、前記機械表示式表示装置の表示部を透視可能な透視領域と、その透視領域の周縁部に設けられた半透明部分を有する装飾領域と、がそれぞれ設けられ、
前記遊技盤の前部には、前記機械表示式表示装置の表示部を照明する光源が前記ガラス扉の装飾領域の後側に対応する位置において配置されることで前記ガラス扉の装飾領域を照明する構成にしてあることを特徴とする遊技機。」を要旨とする。
ここで、遊技機本体とは、遊技盤装着部を有する前枠や、前枠と機構盤とが一体化された本体枠等をいう。
また、遊技盤とは、遊技に関する各種の装置、構成部材等が装着されたものをいい、装着ベースは、板状のもの、箱形状のもの、枠形状のもの等を含み、その形状は問わない。
【００６５】
前記構成において、遊技盤の前部に配置した光源によって機械表示式表示装置の表示部を照明することができるとともに、ガラス扉の透視領域の周縁部に設けられた半透明部分を有する装飾領域を照明することができる。このため、ガラス扉の装飾領域を照明する専用の光源（照明ランプ）を準備して所定位置に装着する手間を省くことができ、コスト低減に効果が大きい。しかも、専用の光源を装着するスペースを確保する必要もないため、その分だけ他の装備品を配設するための設計の自由度を増大させることが可能となる。
特に、光源を遊技盤の前部に配置することで、ガラス扉側に配置する場合と比べ、遊技盤に装着の機械表示式表示装置の表示部を不測に位置ずれすることなく適切に照明することができる。
【００６６】
他の発明１の手段１の従属項としての手段２に係る遊技機は、光源の背後に反射部材が設けられていることを特徴とする。
したがって、光源が発する光を反射部材によって反射して機械表示式表示装置の表示部及びガラス扉の装飾領域をそれぞれ良好に照明することができ、照明効果を高めることができる。
【００６７】
他の発明１の手段１又は２の従属項としての手段３に係る遊技機は、遊技盤の前部に光源に対応する電源供給用の変換器が装着されていることを特徴とする。
したがって、遊技盤の前部に光源と電源供給用の変換器とがそれぞれ装着されることで、遊技盤の前において、光源と電源供給用の変換器とを短い接続線によって容易に接続することができる。
【００６８】
他の発明１の手段３の従属項としての手段４に係る遊技機は、電源供給用の変換器が遊技機本体のヒンジ側寄りに配置されていることを特徴とする。
したがって、遊技機本体のヒンジ側寄りにおいて、遊技機本体側の電源供給部と変換器とを接続線によって容易に接続することができる。
【００６９】
他の発明１の手段１又は２又は３又は４の従属項としての手段５に係る遊技機は、
機械表示式表示装置の表示部に対応するガラス扉の透視領域の周縁部に設けられた半透明部分を有する装飾領域は、前記ガラス扉の透明板（例えば、ガラス板）の後面に貼り付けられた装飾シートによって構成されていることを特徴とする。
したがって、ガラス扉の透明板の後面に装飾シートを貼り付けることによって、ガラス扉の透視領域の周縁部に半透明部分を有する装飾領域を容易に構成することができる。
【００７０】
［他の発明２の手段及び作用効果について］
他の発明２の手段１は、
「遊技機本体と、その遊技機本体の遊技盤装着部に着脱可能に装着された遊技盤と、を備えた遊技機であって、
前記遊技盤の周縁部の一部には、同遊技盤の前側と後側にそれぞれ配設される各種の回路基板、各種の電気機器等を電気的に接続する接続線に対応する配線用凹部が形成され、
前記遊技盤の外郭形状の外側に突出することなく前記配線用凹部内に前記接続線が挿通されて配線されることを特徴とする遊技機。」を要旨とする。
ここで、遊技機本体とは、遊技盤装着部を有する前枠や、前枠と機構盤とが一体化された本体枠等をいう。
【００７１】
前記構成において、遊技盤の前側と後側にそれぞれ配設される各種の回路基板、各種の電気機器等を電気的に接続する接続線が遊技盤の外郭形状の外側に突出することなく配線用凹部内に挿通されて配線される。
したがって、遊技盤の所定位置に接続線を挿通するための貫通孔を貫設することなく、遊技盤の前側と後側にそれぞれ配設される各種の回路基板、各種の電気機器等を電気的に接続することができる。しかも、遊技機本体の遊技盤装着部に遊技盤を着脱する際、接続線が妨害物となる不具合を防止することができる。
この結果、遊技盤の前側と後側にそれぞれ配設される各種の回路基板、各種の電気機器等を接続線によって電気的に接続した状態のままで、遊技機本体の遊技盤装着部に遊技盤を容易に着脱することができる。
【００７２】
他の発明２の手段１の従属項としての手段２に係る遊技機は、配線用凹部に接続線を係止する係止手段が設けられていることを特徴とする。
したがって、係止手段によって配線用凹部に接続線を係止することで、接続線が配線用凹部から不測にはみ出す不具合を防止することができる。
【００７３】
他の発明２の手段２の従属項としての手段３に係る遊技機は、接続線の係止手段は、前記接続線を蛇行状に屈曲させて係止する複数の係止部によって構成されていることを特徴とする。
したがって、複数の係止部によって接続線を蛇行状に屈曲させて係止することができるため、配線用凹部に接続線を確実に係止して保持することができる。
また、蛇行状に屈曲された接続線自身の弾性力によって、複数の係止部に接続線が弾性的に係止可能となる。このため、配線用凹部に対する接続線の係止力を増大させることができ接続線の外れ防止に効果が大きい。
【００７４】
他の発明２の手段２の従属項としての手段４に係る遊技機は、接続線の係止手段は、フラットケーブルよりなる接続線の幅方向両側部を係止する一対の係止部によって構成されていることを特徴とする。
したがって、一対の係止部によってフラットケーブルよりなる接続線をその幅方向両側部近傍において確実に係止して保持することができる。
【００７５】
他の発明２の手段３又は４の従属項としての手段５に係る遊技機は、係止部の一部又は略全体おいて、遊技盤の外郭形状に沿いかつ配線用凹部の開口部を狭めるようにして形成された平坦部分を有していることを特徴とする。
したがって、係止部によって配線用凹部内に接続線を確実に係止して保持することができるとともに、係止部の平坦部分に対し異物が引掛かることを防止することができ、遊技盤の取り扱いがし易くなる。
【００７６】
他の発明２の手段３〜５のいずれか一項の従属項としての手段６に係る遊技機は、接続線の係止手段を構成する係支部は、配線用凹部の一部に一体に形成されていることを特徴とする。
したがって、配線用凹部の一部に係支部を一体に形成することで、遊技盤と別個に係止部を形成して配線用凹部に装着する手間を省くことができ、この分だけコスト低減を図ることができる。
【００７７】
［他の発明３の手段及び作用効果について］
他の発明３の手段１は、
「遊技機本体と、その遊技機本体の遊技盤装着部に着脱可能に装着された遊技盤と、前記遊技機本体の前側にヒンジ機構によって開閉可能に装着されたガラス扉と、を備えた遊技機であって、
前記遊技盤と前記ガラス扉とにそれぞれ配設される各種の回路基板、各種の電気機器等を電気的に接続する接続線は、前記ヒンジ機構側において配線され、
前記遊技盤の前側と後側にそれぞれ配設される各種の回路基板、各種の電気機器等を電気的に接続する接続線は、前記ヒンジ機構側とは反対側の自由端側において配線されるように構成されていることを特徴とする遊技機。」を要旨とする。
【００７８】
前記構成において、ガラス扉のヒンジ機構側においては、遊技盤とガラス扉との接続線を配線し、ヒンジ機構と反対側の自由端側においては、遊技盤の前側と後側の接続線を配線することで、遊技盤とガラス扉との接続線と、遊技盤の前側と後側の接続線とが互いに入り交じることなく合理的に配線することができる。このため、配線作業や配線の保守点検が容易となる。
また、ガラス扉のヒンジ機構側において、遊技盤とガラス扉との接続線を配線することで、自由端側において配線する場合と比べ接続線を短くすることができるとともに、ガラス扉の開閉時に接続線が過大に引張されて断線する不具合を防止することができる。
【００７９】
［他の発明４の手段及び作用効果について］
他の発明４の手段１は、
「遊技機本体と、その遊技機本体の遊技盤装着枠の一側から嵌込まれて着脱可能に装着された遊技盤と、を備えた遊技機であって、
前記遊技盤には、その上縁部から一部突出した状態で表示装置が装着される一方、
前記遊技盤装着枠には、前記表示装置が下方から嵌込み可能な表示装置用嵌込部が形成されていることを特徴とする遊技機。」を要旨とする。
【００８０】
前記構成において、遊技盤装着枠に遊技盤を装着する際、まず、遊技盤装着枠の表示装置用嵌込部の下方から遊技盤の表示装置を嵌込み、次に、遊技盤装着枠に遊技盤を嵌込むことによって、遊技盤装着枠に遊技盤が仮止め状態で保持される。この状態において、遊技盤の不測の倒れが表示装置用嵌込部によって防止される。
その後、遊技盤装着枠に対し留め具等の固定手段によって固定することで遊技盤装着枠に遊技盤を容易に装着することができる。
すなわち、遊技盤装着枠の一側から遊技盤を嵌込んだ後、留め具等の固定手段によって固定する構造とした場合には、遊技盤装着枠に対し遊技盤を固定する際に遊技盤が不測に倒れる場合がある。
これに対し、遊技盤装着枠に、遊技盤の表示装置が下方から嵌込み可能な表示装置用嵌込部を形成することによって、遊技盤の不測の倒れを防止することができ、遊技盤の装着作業の能率向上を図ることができる。
【００８１】
他の発明４の手段１の従属項としての手段２に係る遊技機は、表示装置用嵌込部には、表示装置の一側部に接近して倒れを防止する倒れ防止部が形成されていることを特徴とする。
したがって、遊技盤の不測の倒れを表示装置の一側部に接近する倒れ防止部によって確実に防止することができる。
【００８２】
他の発明４の手段１又は２の従属項としての手段３に係る遊技機は、表示装置用嵌込部は、表示装置の左右両側部に近接して左右方向の位置決めをなす左右の両側規制壁を有している。
したがって、表示装置用嵌込部の左右の両側規制壁によって遊技盤の表示装置を位置決め案内しながら容易に嵌込むことができる。
【図面の簡単な説明】
【００８３】
【図１】この発明の実施例に係る遊技機の外枠に対し前枠、ガラス扉及び機構盤がそれぞれ開放された状態を示す斜視図である。
【図２】同じく外枠に対し前枠が開放された状態を示す斜視図である。
【図３】同じく前枠に対しガラス扉が開放された状態を示す斜視図である。
【図４】同じく遊技機を斜め前方から示す斜視図である。
【図５】同じく遊技機の正面図である。
【図６】同じく遊技機の背面図である。
【図７】同じく図６のＶＩＩ−ＶＩＩ線に基づく遊技機の縦断面図である。
【図８】同じく遊技機の上部を拡大して示す縦断面である。
【図９】同じく前枠及び遊技盤装着枠の上部を示す斜視図である。
【図１０】同じく遊技盤ユニットを前方から示す斜視図である。
【図１１】同じく遊技盤ユニットを後方から示す斜視図である。
【図１２】同じく遊技板を前方から示す斜視図である。
【図１３】同じく遊技板を後方から示す斜視図である。
【図１４】同じく略同一形状の隣接する遊技板を前方から示す斜視図である。
【図１５】同じく遊技板の正面図である。
【図１６】同じく略同一形状の隣接する遊技板を積層状に積み重ねた状態を示す図１５のＸＶＩ−ＸＶＩ線に基づく横断面図である。
【図１７】同じく略同一形状の複数の遊技板を積層状に積み重ねた状態を示す斜視図である。
【図１８】同じく遊技盤ユニットの後面側の配線を示す説明図である。
【符号の説明】
【００８４】
１  遊技機
１０  外枠
３０  前枠
８０  遊技盤装着枠
１００  遊技盤ユニット（遊技盤）
１０１  遊技板
１１０、１１１  位置決めピン（凸部）
１３０  位置決め凹部（凹部）
１４５  電気表示式表示ユニット（第２の表示ユニット）
１５６  冷陰極管（照明ランプ）
１５７  反射板
１７０  機械表示式表示ユニット（第１の表示ユニット）
１７５  図柄表示体
１７６  前側表示面
２００  機構盤
２１０  球タンク
２１１  タンクレール
２２０  球払出装置
【図１】
2004216140.tif 000003
【図２】
2004216140.tif 000004
【図３】
2004216140.tif 000005
【図４】
2004216140.tif 000006
【図５】
2004216140.tif 000007
【図６】
2004216140.tif 000008
【図７】
2004216140.tif 000009
【図８】
2004216140.tif 000010
【図９】
2004216140.tif 000011
【図１０】
2004216140.tif 000012
【図１１】
2004216140.tif 000013
【図１２】
2004216140.tif 000014
【図１３】
2004216140.tif 000015
【図１４】
2004216140.tif 000016
【図１５】
2004216140.tif 000017
【図１６】
2004216140.tif 000018
【図１７】
2004216140.tif 000019
【図１８】
2004216140.tif 000020